(57)【要約】【課題】無線通信特有に使用する幾つかのパラメータをテストページの印刷に含めて印刷させること。【解決手段】  互いに無線通信を行なうホストコンピュータと印刷装置とを含む印刷システムであって、ホストコンピュータは、テスト印刷の開始を指示する指示手段を備え、印刷装置は、無線通信に関する無線関連情報を含むテスト印刷情報を印刷するテスト印刷手段６０６を備えることを特徴とする。【選択図】  図６
2006095757.tif 000002
【特許請求の範囲】
【請求項１】
互いに無線通信を行なうホストコンピュータと印刷装置とを含む印刷システムであって、
前記ホストコンピュータは、テスト印刷の開始を指示する指示手段を備え、
前記印刷装置は、前記無線通信に関する無線関連情報を含むテスト印刷情報を印刷するテスト印刷手段を備えることを特徴とする印刷システム。
【請求項２】
無線通信が可能な印刷装置であって、
ホストコンピュータからのテスト印刷指示を受信する受信手段と、
前記受信手段による受信に応じて、前記無線通信に関する無線関連情報を含むテスト印刷情報を印刷するテスト印刷手段を備えることを特徴とする印刷装置。
【請求項３】
前記テスト印刷手段は、前記無線関連情報として無線通信の設定情報を印刷することを特徴とする請求項２に記載の印刷装置。
【請求項４】
前記テスト印刷手段は、前記無線関連情報として無線通信の通信品質情報を印刷することを特徴とする請求項２に記載の印刷装置。
【請求項５】
前記テスト印刷手段は、前記ホストコンピュータから通知された前記無線関連情報を印刷することを特徴とする請求項２に記載の印刷装置。
【請求項６】
前記無線通信の通信品質情報を前記ホストコンピュータに対して出力する前記通信品質出力手段を更に備え、
前記テスト印刷手段は、前記ホストコンピュータが前記通信品質情報を用いて生成したテスト印刷データを印刷することを特徴とする請求項２に記載の印刷装置。
【請求項７】
前記無線通信の通信品質情報を出力する通信品質出力手段と、
前記通信品質情報を用いてテスト印刷データを生成するテスト印刷データ生成手段と、  を備えることを特徴とする請求項２に記載の印刷装置。
【請求項８】
互いに無線通信を行なうホストコンピュータと印刷装置を含む印刷システムの制御方法であって、
前記ホストコンピュータにおいて、テスト印刷の開始を指示を受け付ける指示受付工程と、
前記印刷装置において、前記無線通信に関する無線関連情報を含むテスト印刷情報を印刷するテスト印刷工程と、
を含むことを特徴とする印刷システムの制御方法。
【請求項９】
印刷装置の制御プログラムであって、
前記ホストコンピュータからのテスト印刷の開始指示を受けた場合に、前記無線通信に関する無線関連情報を含むテスト印刷情報を印刷するテスト印刷工程、
をコンピュータに実行させることを特徴とする制御プログラム。
【発明の詳細な説明】
【技術分野】
【０００１】
本発明は、印刷システムおよび印刷装置、印刷方法に関するものである。
【背景技術】
【０００２】
従来から、ホストコンピュータと印刷装置とを含む印刷システムにおいて、ホストコンピュータからの指示に応じて、印刷装置でテストプリントを行なうものが知られている。このテストプリントは、ホストコンピュータと印刷装置とが正常に通信でき、かつ正常に印刷できることを示すものであり、例えば、図１２に示すように、コンピュータ名、プリンタ名、ポート名、データ形式、ドライバ名、ドライバが使うファイル名などが記述される。
【特許文献１】特開2001-213030号公報
【発明の開示】
【発明が解決しようとする課題】
【０００３】
しかしながら、上述したような従来技術では、テストプリントによって開示される情報が十分とは言えなかった。
【０００４】
特に、ホストコンピュータと印刷装置とで無線通信を行なう印刷システムにおいては、その無線通信に関する設定内容や通信状態が非常に大きな意味を持つが、テストプリントでそのような情報を得ることができなかった。
【０００５】
本発明は上記のような問題点に鑑みてなされたものであり、より効果的なテストプリントを行なうことを目的とするものである。
【課題を解決するための手段】
【０００６】
上記目的を達成するため、本発明に係るシステムは、
互いに無線通信を行なうホストコンピュータと印刷装置とを含む印刷システムであって、
前記ホストコンピュータは、テスト印刷の開始を指示する指示手段を備え、
前記印刷装置は、前記無線通信に関する無線関連情報を含むテスト印刷情報を印刷するテスト印刷手段を備えることを特徴とする。
【０００７】
上記目的を達成するため、本発明に係る装置は、
無線通信が可能な印刷装置であって、
ホストコンピュータからのテスト印刷指示を受信する受信手段と、
前記受信手段による受信に応じて、前記無線通信に関する無線関連情報を含むテスト印刷情報を印刷するテスト印刷手段を備えることを特徴とする。
【０００８】
上記目的を達成するため、本発明に係る方法は、
互いに無線通信を行なうホストコンピュータと印刷装置を含む印刷システムの制御方法であって、
前記ホストコンピュータにおいて、テスト印刷の開始を指示を受け付ける指示受付工程と、
前記印刷装置において、前記無線通信に関する無線関連情報を含むテスト印刷情報を印刷するテスト印刷工程と、
を含むことを特徴とする。
【０００９】
上記目的を達成するため、本発明に係るプログラムは、
印刷装置の制御プログラムであって、
前記ホストコンピュータからのテスト印刷の開始指示を受けた場合に、前記無線通信に関する無線関連情報を含むテスト印刷情報を印刷するテスト印刷工程、
をコンピュータに実行させることを特徴とする。
【発明の効果】
【００１０】
本発明によれば、無線通信機能を有する印刷装置に適したテストプリントを行なうことができる。
【発明を実施するための最良の形態】
【００１１】
以下に、図面を参照して、この発明の好適な実施形態を例示的に詳しく説明する。ただし、この実施形態に記載されている構成要素はあくまで例示であり、この発明の範囲をそれらのみに限定する趣旨のものではない。
【００１２】
（前提技術の説明）
現在、電波や赤外線などの無線通信媒体を利用してパケット化されたデータの送受信を行う方式の標準規格がいくつか知られている。例えば、ＩＥＥＥ標準委員会ではＩＥＥＥ Ｓｔｄ ８０２．１１という名称で無線ＬＡＮの物理層およびメディアアクセス制御層（以下、ＭＡＣ層と略記する）を標準化している。更にＩＥＥＥ Ｓｔｄ ８０２．１１ｂおよびＩＥＥＥ Ｓｔｄ ８０２．１１ａという名称でより高速な物理層およびＭＡＣ層を標準化している。ここで、ＩＥＥＥ Ｓｔｄ ８０２．１１では通信媒体として電波だけでなく、赤外線の利用も含めている。これに対しＩＥＥＥ Ｓｔｄ ８０２．１１ｂおよびＩＥＥＥ Ｓｔｄ ８０２．１１ａでは通信媒体は現在のところ電波のみである。ＩＥＥＥ  Ｓｔｄ  ８０２．１１ｂおよびＩＥＥＥ  Ｓｔｄ  ８０２．１１ａはＩＥＥＥ  ８０２．１１に対する追補版であり、ＩＥＥＥ  Ｓｔｄ  ８０２．１１で規定する機能を包含する。また、ＩＥＥＥ Ｓｔｄ ８０２．１１およびＩＥＥＥ Ｓｔｄ ８０２．１１ｂで使用する電磁波の周波数帯域は、利用者が免許取得を不要とする２．４ＧＨｚ（ギガヘルツ）帯である。
【００１３】
ＩＥＥＥ Ｓｔｄ ８０２．１１では通信速度は１Ｍｂｉｔ／秒（メガビット毎秒）乃至２Ｍｂｉｔ／秒であるが、ＩＥＥＥ Ｓｔｄ ８０２．１１ｂでは、この他に５．５Ｍｂｉｔ／秒および１１Ｍｂｉｔ／秒の通信速度を選択できる。一方、ＩＥＥＥ Ｓｔｄ ８０２．１１ａでは、使用する電磁波の周波数帯域が５ＧＨｚ帯であり、６Ｍｂｉｔ／秒から５４Ｍｂｉｔ／秒の通信速度が規定されている。更に、ＩＥＥＥ Ｓｔｄ  ８０２．１１ｇという新規格では２．４ＧＨｚ帯を使用して最大５４Ｍｂｉｔ／秒の通信が規定されている。
【００１４】
電磁波を使う無線通信方式は、ＩＥＥＥ Ｓｔｄ ８０２．１１では直接拡散方式（ＤＳ）方式および周波数ホッピング方式（ＦＨ方式）の両方を採用している。ＩＥＥＥ Ｓｔｄ ８０２．１１ｂではＤＳ方式を採用している。ＩＥＥＥ Ｓｔｄ ８０２．１１ａおよびＩＥＥＥ  Ｓｔｄ  ８０２．１１ｇではＯＦＤＭ（Orthogonal Frequency Division Multiplexing）という方式を採用している。
【００１５】
更に、無線通信規格としては、ＩＥＥＥ Ｓｔｄ ８０２．１１シリーズ以外に、Ｂｌｕｅｔｏｏｔｈ（登録商標）やＨｏｍｅＲＦ（登録商標）等の無線通信方式も提案されている。また、赤外線通信方式であるＩｒＤＡ（登録商標）や、個々のメーカの独自方式による無線通信も存在する。
【００１６】
ＩＥＥＥ  Ｓｔｄ  ８０２．１１では、当該標準に適合する無線媒体へのＭＡＣ機能と物理インターフェースを有する装置をステーションと呼び、ステーション機能を持ち、無線媒体を通してアソシエートされているステーションのために分配システムへのアクセスを提供するエンティティをアクセスポイントと呼んでいる。また、無線媒体を介した他の装置との相互通信の範囲において、ステーションだけで構成されるネットワークをアドホックネットワークと呼び、分配システム媒体、１以上のアクセスポイントおよび０以上のポータルエンティティを含み、拡張サービスセットの分配および統合サービスの論理的なロケーションをインフラストラクチャーネットワークと呼んでいる。ここで、拡張サービスセットとは、１以上の相互接続された基本サービスセットおよび統合されたＬＡＮのセットを言う。基本サービスセットとは、１つの調整機能によって制御される複数のステーションであると定義されている。分配システムとは、拡張サービスセットを構成するために複数の基本サービスセットおよび統合された複数のＬＡＮを相互接続するために用いられるシステムであり、ポータルとは統合される非８０２．１１ＬＡＮからのデータユニットが拡張サービスセットの分配システムに入力される論理的なポイントである。
【００１７】
（第１実施形態）
本発明に係る印刷システムの第１実施形態について以下に説明する。図１は、本実施形態としての印刷システムの全体構成図である。本印刷システムは、アドホックネットワークを構成しており、図１において１１から１５はステーションに相当する。このなかで、１１乃至１４はＩＥＥＥ Ｓｔｄ ８０２．１１に適合する無線通信機能を備えたパーソナルコンピュータなどの情報端末装置であり、１５はＩＥＥＥ Ｓｔｄ ８０２．１１に適合する無線通信機能を備えたプリンタである。各装置１１乃至１５は互いに直接通信することが可能である。
【００１８】
ＩＥＥＥ  Ｓｔｄ  ８０２．１１では、フォーマット化されて送信されるビット列をフレームと呼び、ユーザが実際に相手装置に送信したいデータを含むフレーム（データフレームと呼ばれる）以外に管理フレーム、制御フレームという種類のフレームが存在する。管理フレームはお互いの機器の認証や接続の確立に関わるフレームであり、オーセンティケーションフレーム、アソシエーションリクエストフレーム、アソシエーションレスポンスフレーム等がある。制御フレームには、データフレームを受信したことをそのデータフレームの送信元に知らせるためのＡＣＫフレーム、データフレームに先立って交換されるＲＴＳフレームおよびＣＴＳフレームなどがある。印刷データは、プリンタ１５に対しホストコンピュータとなる情報端末装置１１乃至１４からデータフレームとして送信される。
【００１９】
図６は本印刷システムを構成するプリンタ１５の概略ブロック図である。図６に示すように、プリンタ１５は、無線通信部６０２、無線通信用パラメータ記憶部６０３、無線通信制御部６０４、印刷データ一時記憶部６０５、印刷エンジン部６０６を含んでいる。
【００２０】
ここで、無線通信部６０２は、ＩＥＥＥ  Ｓｔｄ  ８０２．１１ｇなどに準拠した無線通信を行なうユニットである。無線通信用パラメータ記憶部６０３は、無線通信部６０２に設定したＳＳＩＤ（無線ネットワークの識別名称）やＩＰアドレスなどの各種の通信設定情報であるパラメータを記憶しておくためのユニットである。無線通信制御部６０４は、無線通信用パラメータ記憶部６０３から取得し、読み出した値を無線通信部６０２に設定したり、無線通信部６０２が受信したデータを処理したり、無線通信部６０２へ送信データを入力するなどのユニットである。印刷データ一時記憶部６０５は、無線通信制御部６０４が受信した印刷データを順次書き込むためのリングバッファである。印刷エンジン部６０６は印刷データ一時記憶部６０５から読み出した印刷データに従って印刷媒体にインクを吐出するなどして印刷を実行するユニットである。印刷エンジン部は、感熱方式、電子写真方式など他の方式により印刷を行なうユニットでも構わない。
【００２１】
図９はホストコンピュータの概略ブロック図である。同図においてコンピュータ１１〜１４は、無線通信部９０２、無線通信用パラメータ記憶部９０３、無線通信制御部９０４、主制御部９０５、表示部９０６、操作部９０７、印刷データ変換部９０８、印刷データ一時記憶部９０９、プリンタ設定情報記憶部９１０を含んでいる。
【００２２】
無線通信部９０２は、ＩＥＥＥ  Ｓｔｄ  ８０２．１１ｇなどに準拠した無線通信用のユニットである。無線通信用パラメータ記憶部９０３は、無線通信部９０２に設定したＳＳＩＤ（無線ネットワークの識別名称）やＩＰアドレスなどの各種パラメータを記憶しておくためのユニットである。無線通信制御部９０４は無線通信用パラメータ記憶部９０２から読み出した値を無線通信部９０２に設定したり、無線通信部９０２が受信したデータを処理したり、無線通信部９０２へ送信データを入力したりするためのユニットである。主制御部９０５は、コンピュータ１１〜１４の各部を制御するためのユニットである。表示部９０６は液晶表示ユニットである。操作部９０７はキーボードやマウスなどを含むユーザインタフェースである。印刷データ変換部９０８は制御部９０５の指示によって入力されたデータを出力するプリンタに合わせた印刷データに変換するユニットである。印刷データ一時記憶部９０９は印刷データ変換部９０８によって変換された印刷データを一時格納しておき、順次無線通信制御部９０４および無線通信部９０２を経由してプリンタへ印刷データを送信するためのユニットである。プリンタ設定情報記憶部９１０は、情報端末装置１１〜１４に接続されたプリンタ１５の無線通信設定情報を記憶するためのユニットである。
【００２３】
プリンタドライバがインストールされた場合や、ユーザが操作部９０７によって特定の操作を行なうと、ホストコンピュータ１１〜１４はプリンタドライバのプロパティを表示部９０６に表示させ、ユーザが「テストページの印刷」を操作部９０７によって操作すると、プリンタ１５においてテストページの印刷、つまりテストプリントが行なわれる。
【００２４】
図３は、印刷システムにおけるホストコンピュータからプリンタに対してテストページの出力指示を行なった場合の処理の流れを示す図である。まず、ホストコンピュータの主制御部９０５、無線通信制御部９０４、無線通信部９０４を経由してプリンタ１５へ印刷開始コマンドが送信される（Ｓ１０１）。
【００２５】
プリンタはこのコマンドを無線通信部６０２、無線通信制御部６０４、印刷データ一時記憶部６０５経由で印刷エンジン部６０６へ渡し、印刷エンジン部６０６は用紙なし、インクなしなどの状態ではなく印刷可能な状態であれば、用紙を１枚給紙し（Ｓ１０２）、次のコマンドまたは印刷データに備える。
【００２６】
ホストコンピュータ１１〜１４の主制御部９０５は、「テストページの印刷」の印刷データを印刷データ変換部９０８、印刷データ一時記憶部９０９、無線通信制御部９０４、無線通信部９０２を介して送信する。そして更に、プリンタ１５をセットアップした際にプリンタ１５に送信したプリンタ１５の無線通信設定情報をプリンタ設定情報記憶部９１０から読み出して、続けて印刷データ変換部９０８に送信してプリンタ１５が印刷できる印刷データに変換し、印刷データ一時記憶部９０９、無線通信制御部９０４、無線通信部９０２を経由してプリンタ１５へ送信する（Ｓ１０３）。
【００２７】
ここで、プリンタ１５の無線通信設定情報には例えばＳＳＩＤ（無線ＬＡＮのネットワークを識別するための情報）、無線チャンネル、暗号化のＯＮ／ＯＦＦ、ＩＰアドレスなどがある。
【００２８】
これらの情報は、一度プリンタをセットアップした際に確認している情報であるため、プリンタ設定情報一時記憶部９１０に蓄えておくことを前提に記載したが、プリンタ１５の無線通信機能設定ユーティリティをコンピュータ１１〜１４の主制御部９０５が起動し、このユーティリティを利用してプリンタ１５と通信を行って問い合わせる方法などもある。この場合、プリンタ１５では無線通信制御部６０４が上記ユーティリティを利用して送信されるコマンドを解釈し、無線通信用パラメータ記憶部６０３から要求されたパラメータの設定値を読み出して、ホストコンピュータ１１〜１４へ送信する。
【００２９】
ホストコンピュータとプリンタ間が無線通信でのみ通信可能な状態とした場合、上記のようなパラメータがホストコンピュータとプリンタ間で通信可能となるようにお互いに設定されていないと無線通信が確立しないが、無線通信とは別に、ＵＳＢ（Ｕｎｉｖｅｒｓａｌ  Ｓｅｒｉａｌ  Ｓｕｓ）などでホストコンピュータとプリンタ間を接続可能な形態であれば、その接続を利用してプリンタの設定情報を問い合わせて、印刷データに変換することも可能である。
【００３０】
プリンタ１５は無線通信部６０２で、上記Ｓ１０３で送信された印刷データを受信すると、順次無線通信制御部６０４、印刷データ一時記憶部６０５を経由して印刷エンジン部６０６へ送信し、印刷エンジン部６０６はＳ１０２で給紙したプリント用紙に順次印刷データを記録していく（Ｓ１０４）。
【００３１】
主制御部９０５は印刷データの変換が完了したら、印刷終了コマンドをプリンタ１５の印刷エンジン部６０６が解釈できるように変換して、Ｓ１０２と同ルートで送信する（Ｓ１０５）。プリンタ１５の印刷エンジン部６０６は上記印刷終了コマンドを受信すると、プリント用紙を排紙する（Ｓ１０６）。
【００３２】
以上により、本実施形態では、テストページの印刷時に、無線通信特有のパラメータをテストページの印刷に含めて印刷させる（図１０）。特に、プリンタがホストコンピュータから受信したテストページデータフレームの受信レベルやエラーフレーム数、エラーフレーム率、実際に通信した通信速度等の通信状態の品質を示すための情報をテストページに含めることができる。テストページの印刷結果を見て、通信状況の品質やセットされたパラメータを知ることができる。このように、テストページに、無線通信用の設定情報が含まれているため、ユーザにとって非常に有効なテストプリントが行えることになる。
【００３３】
なお、Ｓ１０３に追加して、コンピュータ１１〜１４側の無線通信設定情報を主制御部９０５が無線通信制御部９０４を介して無線通信用パラメータ記憶部９０３から読み出し、印刷データ変換部９０８、印刷データ一時記憶部９０９、無線通信制御部９０４、無線通信部９０２を経由してプリンタ１５へ送信してもよい。プリンタ１５ではコンピュータ１１〜１４側の無線設定情報も無線通信部６０２で受信し、無線通信制御部６０４、印刷データ一時記憶部６０５を経由して印刷エンジン部６０６へ送信することにより、同じプリント用紙にコンピュータ１１〜１４の無線通信設定情報をも印刷することが可能となる。すなわち、プリンタ１５とコンピュータ１１〜１４の無線通信設定情報を合わせて印刷することが可能となる。
【００３４】
この印刷結果を見れば、プリンタ１５とコンピュータ１１〜１４の無線通信設定情報を容易に比較することが可能となるため、効果はますます顕著になる。
【００３５】
（第２実施形態）
次に本発明の第２実施形態について説明する。本実施形態では、無線通信品質をテストページに含めて印刷する点で上記第１実施形態と異なる。無線通信品質に関する構成及び作用以外は、第１実施形態と同様であるため、同じ構成には同じ符号を付してその説明を省略する。
【００３６】
図７は第２実施形態に係るプリンタ１５の概略ブロック図である。同図において、受信電力検出部７０７は、無線通信の品質状況を検出評価するためのユニットであり、無線通信部６０２が受信している電波の受信電力の大きさを検出してパーセンント表示やｄｂｍなどの所定の単位に変換して無線通信制御部６０４へ通知する。また、エラー頻度算出部７０８は無線通信部６０２がエラーパケットを受信した場合にエラーパケット数をカウントしたり、エラーパケット数の総受信パケット数に対する割合、または成功パケット数の送受信パケット数に対する割合を算出したりして、その結果を無線通信制御部６０４へ通知するユニットである。
【００３７】
図４は、第２実施形態に係る印刷システムにおける処理の流れを説明する図である。ホストコンピュータ１１〜１４の主制御部９０５は印刷可能と判断できれば、従来と同様に無線関連情報以外のテストプリント用の情報を印刷データ変換部９０８、印刷データ一時記憶部９０９、無線通信制御部９０４、無線通信制御部９０２経由してプリンタ１５へ送信する（Ｓ２０３）。
【００３８】
プリンタ１５では無線通信部６０２で受信した上記印刷データを、無線通信制御部６０４、印刷データ一時記憶部６０５を介して印刷エンジン部６０６へ送信し、印刷エンジン部６０６は順次Ｓ１０２で給紙したプリント用紙に印刷を実行する（Ｓ２０４）。
【００３９】
一方、プリンタ１５の無線通信制御部６０４は上記印刷データ受信中の受信電力を受信電力検出部７０７から得、更にエラー頻度を示す値をエラー頻度算出部７０８から得て、上記印刷データの受信終了とともに、無線通信部６０２を経由してコンピュータ１１〜１４へ送信する（Ｓ２０５）。
【００４０】
コンピュータ１１〜１４の主制御部９０５は上記受信電力およびエラー頻度を示す値を無線通信部９０２、無線通信制御部９０４を経由して受信したら、プリンタ１５をセットアップした際にプリンタ１５に送信したプリンタ１５の無線通信設定情報をプリンタ設定情報記憶部９１０から読み出して、印刷データ変換部９０８に送信してプリンタ１５が印刷できる印刷データに変換し、更に上記受信した受信電力およびエラー頻度を示す値を印刷データ変換部９０８に送信してプリンタ１５が印刷できる印刷データに変換し、これらを続けて印刷データ一時記憶部９０９、無線通信制御部９０４、無線通信部９０２を経由してプリンタ１５へ送信する（Ｓ２０６）。
【００４１】
プリンタ１５では無線通信部６０２で受信した無線通信設定情報および受信電力およびエラー頻度を示す値を印刷データに変換されたものを無線通信制御部６０４、印刷データ一時記憶部６０５を介して印刷エンジン部６０６へ送信するため、Ｓ２０４の印刷に続けてこれらの内容が同一のプリント用紙に印刷されることになる（Ｓ２０７）。
【００４２】
以上により、図１０に示したようなテストプリントに、図１１内に示す無線信号電力強度を示すSignal Strength, エラー頻度に対応する接続の品質を示す Link Quality、Packet Condition等が加えられた印刷結果が得られる。
【００４３】
（第３実施形態）
次に本発明の第３実施形態について説明する。本実施形態では、ホストコンピュータから受信したテストプリント情報に対し、プリンタ内で無線関連情報を組み合わせて印刷する点で上記第２実施形態と異なる。その他の構成及び作用は、第１実施形態と同様であるため、同じ構成には同じ符号を付してその説明を省略する。
【００４４】
図８は第３実施形態に係るプリンタ１５の概略ブロック図である。同図において、印刷データ変換部８０９は無線通信制御部６０４の出力データを入力し、印刷エンジン部６０６が印刷処理可能なデータに変換するためユニットのであり、その出力は印刷データ一時記憶部６０５へ入力される。
【００４５】
図５は、第３実施形態に係る印刷システムにおける処理の流れを説明する図である。
【００４６】
ホストコンピュータ１１〜１４の主制御部９０５は、印刷開始コマンドをプリンタ１５に送信後、印刷可能と判断できれば、続けて従来の「テストページの印刷」の内容を印刷データ変換部９０８、印刷データ一時記憶部９０９、無線通信制御部９０４、無線通信制御部９０２経由してプリンタ１５へ送信する（Ｓ２０３）。
【００４７】
プリンタ１５では無線通信部６０２で受信した上記印刷データを、無線通信制御部６０４、印刷データ一時記憶部６０５を介して印刷エンジン部６０６へ送信し、印刷エンジン部６０６は順次Ｓ３０２で給紙したプリント用紙に印刷を実行する（Ｓ２０４）。
【００４８】
コンピュータ１１〜１４の主制御部９０５は印刷データの変換が完了したら、印刷終了コマンドをプリンタ１５の印刷エンジン部６０６が解釈できるように変換して、送信する（Ｓ１０５）。
【００４９】
一方、プリンタ１５の無線通信制御部６０４は上記印刷データ受信中の受信電力を受信電力検出部７０７から得、更にエラー頻度を示す値をエラー頻度算出部７０８から得る。そして、送信された印刷終了コマンドを検出すると、上記受信中に得られた受信電力およびエラー頻度を示す値を印刷データ変換部８０９へ出力し、更に無線通信用パラメータ記憶部６０３から現在の無線通信に関わる設定値を印刷データ変換部８０９へ出力し、これらを印刷データに変換させて印刷データ一時記憶部６０５へ入力させる。更に、ステップＳ１０５でコンピュータから送信された印刷終了コマンドを印刷データ一時記憶部６０５へ入力する。
【００５０】
印刷エンジン部６０６は印刷データ一時記憶部６０５の内容を順次忠実にプリント用紙に印刷するため、テストページの印刷実行後に続けてテストページの印刷データ受信中の受信電力、エラー頻度、プリンタ１５の無線通信部６０２に設定されている無線通信に関わる設定値を順次印刷することになる（Ｓ３０６）。
【００５１】
最後に印刷データ一時記憶部６０５から印刷終了コマンドを読み出したら、プリント用紙を排紙して処理を終了する（Ｓ１０６）。
【００５２】
本実施の形態によればプリンタ側の無線通信に関わる設定値や図１１内に示す無線信号電力強度を示すSignal Strength, エラー頻度に対応する通信品質を示す Link Quality, Packet Condition等をコンピュータ１１〜１４に送信することなく印刷することが可能になる。
【００５３】
（第４実施形態）
本発明に係る印刷システムの他の構成例を図２に示す。図２は、インフラストラクチャーネットワークの例を示している。図２において２１はＩＥＥＥ Ｓｔｄ ８０２．１１に適合する無線通信機能を備えたパーソナルコンピュータなどの情報端末装置であり、２２はＩＥＥＥ Ｓｔｄ ８０２．１１に適合する無線通信機能を備えたプリンタである。情報端末装置２１およびプリンタ２２は上記ステーションに該当する。２３はアクセスポイントであり、情報端末装置２１およびプリンタ２２のために分配システムへのアクセスを提供する役割を果たす。２４はＥｔｈｅｒｎｅｔ（登録商標）に代表される有線ネットワークである。２５乃至２６は有線ネットワーク２４に接続されたパーソナルコンピュータ等の情報端末装置である。図２において情報端末装置２１およびプリンタ２２はアクセスポイント２３にアソシエートされ、アクセスポイント２３を経由して相互通信が可能である。情報通信端末装置２５または２６と情報端末装置２１またはプリンタ２２との間の通信は有線ネットワーク２４およびアクセスポイント２３を経由して行われる。情報端末装置２１、２５、２６は、プリンタ２２に対してホストコンピュータとなる。情報端末装置２１、２５、２６からプリンタ２２に送信される印刷データはデータフレームとして送信される。
【００５４】
（他の実施形態）
本発明に係る印刷システムにおいて用いられる無線通信方式は、ＩＥＥＥ  Ｓｔｄ  ８０２．１１ｂ、ＩＥＥＥ  Ｓｔｄ  ８０２．１１ａ、ＩＥＥＥ  Ｓｔｄ  ８０２．１１ｇなどいずれでもよく、Ｂｌｕｅｔｏｏｔｈ（登録商標）、ＨｏｍｅＲＦ（登録商標）などの他の無線通信方式に準拠しても構わない。
【図面の簡単な説明】
【００５５】
【図１】アドホックネットワークの構成例を示す図である。
【図２】インフラストラクチャーネットワークの構成例を示す図ある。
【図３】本発明の第１の実施の形態に係るフローチャートである。
【図４】本発明の第２の実施の形態に係るフローチャートである。
【図５】本発明の第３の実施の形態に係るフローチャートである。
【図６】本発明の第１の実施の形態に係るプリンタの概略ブロック図である。
【図７】本発明の第２の実施の形態に係るプリンタの概略ブロック図である。
【図８】本発明の第３の実施の形態に係るプリンタの概略ブロック図である。
【図９】本発明の第１の実施の形態乃至第３の実施の形態に係るコンピュータの概略ブロック図である。
【図１０】本発明の第１の実施の形態に係る印刷結果の一例を示す図である。
【図１１】無線関連情報を示す図である。
【図１２】従来のテストプリントの一例を示す図である。
【符号の説明】
【００５６】
１１、１２、１３、１４、２１、２５、２６      情報端末装置
１５、２２                      プリンタ
２３                          アクセスポイント
２４                          有線ネットワーク
６０２、９０２                無線通信部
６０３、９０３                無線通信用パラメータ記憶部
６０４、９０４                無線通信制御部
６０５、９０９                印刷データ一時記憶部
６０６                        印刷エンジン部
７０７                                受信電力検出部
７０８                                エラー頻度算出部
８０９、９０８                                印刷データ変換部
９０５                                        主制御部
９０６                                        表示部
９０７                                        操作部
９１０                                        プリンタ設定情報記憶部
【図１】
2006095757.tif 000003
【図２】
2006095757.tif 000004
【図３】
2006095757.tif 000005
【図４】
2006095757.tif 000006
【図５】
2006095757.tif 000007
【図６】
2006095757.tif 000008
【図７】
2006095757.tif 000009
【図８】
2006095757.tif 000010
【図９】
2006095757.tif 000011
【図１０】
2006095757.tif 000012
【図１１】
2006095757.tif 000013
【図１２】
2006095757.tif 000014